(57)【特許請求の範囲】
【請求項１】
開口部材と外壁材とが取り付けられた建物に設けられた止水部材を用いて、前記開口部材と前記外壁材との間で前記建物の止水を行う外壁構造であって、
前記建物は、室外側と室内側とを連通する開口部を形成する枠部材と、前記枠部材に取り付けられ、前記枠部材と前記外壁材の前記室内側との間に位置する壁下地材とを有し、
前記開口部材は、前記開口部内に配置される開口部材本体と、前記開口部材本体から略直角に延びたフランジとを有し、
前記止水部材は、一端側の端部から他端側に向かって延びた、前記壁下地材に固定され、前記壁下地材と前記外壁材との間に位置する固定部と、
前記固定部の他端側の端部から前記室外側に向かって略直角に延び、前記外壁材の端面と当接して前記外壁材の位置決めを行う位置決め部と、
前記位置決め部の端部から前記開口部材本体側に向かって略直角に延びて平坦に形成されており、前記開口部材本体と前記外壁材との間で、前記外壁材の外面よりも前記室内側に位置する離間部と、
前記離間部の他端側の端部から略直角に延び、前記開口部材本体と対面する支持部と、
矩形状で、前記固定部の他端側に貼着され、前記固定部と前記位置決め部との間に位置するとともに、前記固定部方向に圧縮変形が可能で、前記外壁材に当接して水の侵入を抑制可能な第１シール部と、
矩形状で、前記支持部の他端側に貼着され、前記支持部方向に圧縮変形が可能で、前記開口部材本体に当接して前記水の侵入を抑制可能な第２シール部とを備え、
前記建物の前記枠部材の室外側には、前記フランジが取り付けられているとともに、前記フランジの先端よりも前記開口部材本体から離れた位置に前記壁下地材が取り付けられており、
前記壁下地材の室外側には、前記止水部材が、前記固定部が前記壁下地材の室外側に当接し、前記支持部が前記開口部材本体の外面と対面し、かつ、前記第２シール部が圧縮変形するとともに前記開口部材本体の外面に当接した状態で取り付けられており、
前記外壁材は、端面が前記位置決め部に当接しており、
前記第１シール部は、前記外壁材の裏面に当接するとともに、前記外壁材により前記固定部方向に圧縮変形しており、
前記止水部材の前記固定部には、釘又は螺子が、前記第１シール部よりも開口部材本体から離れた位置に取り付けられており、
前記固定部に取り付けられている釘又は螺子の前記開口部材本体までの距離は、前記フランジの先端から前記開口部材本体までの距離よりも遠く、前記固定部に取り付けられている釘又は螺子は、前記フランジには当接しない
ことを特徴とする外壁構造。
【発明の詳細な説明】
【技術分野】
【０００１】
本発明は止水部材及び外壁構造に関する。
【背景技術】
【０００２】
例えば住宅等の建物では、窓サッシやドア等の開口部材が取り付けられる他、窯業等によって形成された外壁材が取り付けられ得る。このような建物では、柱材等の枠部材によって、窓や出入口等が配置される箇所に開口部が形成され、この開口部によって、室外側と室内側とが連通される。また、枠部材には、胴縁材等の壁下地材が取り付けられる。この壁下地材は、建物に外壁材が取り付けられることにより、枠部材と外壁材の室内側との間に位置する。
【０００３】
開口部材は、開口部材本体を有している。開口部材本体は、開口部材が枠部材に取り付けられることにより、開口部内に配置される。これにより、開口部材本体は、開口部、つまり、窓や出入口等の開閉を行う。
【０００４】
外壁材は、開口部材の周囲において、開口部材本体から一定の間隔を隔てた状態で位置決めされて壁下地材に取り付けられる。このように外壁材を壁下地材に取り付けるに当たっては、例えば特許文献１に開示された係止部材が用いられ得る。この係止部材には、外壁材を係止可能な係止部が設けられている。係止部材は、壁下地材に螺子留めされることにより、壁下地材に固定される。こうして、壁下地材に複数個の係止部材が固定され、各係止部に対して外壁材が係止されることにより、外壁材が上記のように位置決めされた状態で壁下地材に取り付けられる。
【０００５】
また、このような建物では、室内側に雨水等が浸入することを防止するために、開口部材と外壁材との間で建物の止水が行われ得る。このような止水は、一般的には、外壁材を壁下地材に取り付けた後、開口部材本体と外壁材との間にコーキング材等を充填することによって行われる。
【先行技術文献】
【特許文献】
【０００６】
【特許文献１】特開２００９−４１１８１号公報
【発明の概要】
【発明が解決しようとする課題】
【０００７】
しかし、上記従来の係止部材によって外壁材の位置決めを精度高く行うに当たっては、壁下地材に各係止部材を取り付けた際の係止部材同士の位置に高い精度が必要となる。この際、各係止部材をそれぞれ個別に壁下地材に取り付けることにより、係止部材同士の位置にはバラつきが生じ易く、そのようなバラつきを抑制するためには、各係止部材をそれぞれ慎重に位置決めして壁下地材に取り付ける必要がある。これにより、上記の係止部材やこれを用いた外壁構造では、各係止部材、ひいては、外壁材を位置決めしつつ壁下地材に取り付ける作業が複雑となる。このため、施工に当たっては、熟練した技術が要求される他、多くの時間を要することになり、施工に必要なコストが増大する。
【０００８】
また、建物の止水を行うに当たって、外壁材を壁下地材に取り付けた後に開口部材本体と外壁材との間にコーキング材等を充填する場合には、その分、施工に必要な工程が増加する。さらに、コーキング材等を充填する場合には、コーキング材等が充填された箇所毎の止水能力のバラつきも生じ易くなる。このため、建物の止水を行うに当たっても、施工が複雑となり、多くの作業時間が必要となることから、コストが増大することとなる。
【０００９】
本発明は、上記従来の実情に鑑みてなされたものであって、外壁材の位置決めを精度高く行うとともに、開口部材と外壁材とが取り付けられた建物の防水性を確保し、かつ、施工の容易化及び低コスト化を実現可能な止水部材及び外壁構造を提供することを解決すべき課題としている。
【課題を解決するための手段】
【００１０】
本発明の止水部材は、開口部材と外壁材とが取り付けられた建物に設けられ、前記開口部材と前記外壁材との間で前記建物の止水を行う止水部材であって、
前記建物は、室外側と室内側とを連通する開口部を形成する枠部材と、前記枠部材に取り付けられ、前記枠部材と前記外壁材の前記室内側との間に位置する壁下地材とを有し、
前記開口部材は、前記開口部内に配置される開口部材本体を有し、
前記止水部材は、前記壁下地材に固定され、前記壁下地材と前記外壁材との間に位置する固定部と、
前記固定部と連続して前記室外側に向かって延び、前記外壁材の端面と当接して前記外壁材の位置決めを行う位置決め部と、
前記位置決め部と連続して前記開口部材本体側に向かって延び、前記開口部材本体と前記外壁材との間に位置する離間部と、
前記離間部と連続し、前記開口部材本体と対面する支持部と、
前記固定部又は前記位置決め部に設けられ、前記外壁材に当接して水の侵入を抑制可能な第１シール部と、
前記支持部に設けられ、前記開口部材本体に当接して前記水の侵入を抑制可能な第２シール部とを備えていることを特徴とする。
【００１１】
本発明の止水部材では、第２シール部を開口部材本体に当接させた状態で固定部を壁下地材に固定する。これにより、止水部材を壁下地材に固定する際の位置決めを行うことができる。そして、止水部材を壁下地材に固定した状態で、外壁材の端面を止水部材の位置決め部に当接させる。これにより、この止水部材では、離間部によって開口部材本体と外壁材との間隔を規定しつつ、位置決め部によって外壁材の位置決めを行うことができる。このため、この止水部材によれば、熟練した技術を有しなくても、容易かつ精度高く外壁材の位置決めを行うことができる。なお、このように止水部材によって位置決めした外壁材は、釘等によって壁下地材に固定する。
【００１２】
そして、この止水部材では、固定部に第１シール部が設けられているとともに、支持部に第２シール部が設けられている。これにより、この止水部材では、上記のように固定部を壁下地材に固定し、外壁材の端面を位置決め部に当接させるだけで、止水部材と外壁材との間から水が侵入することを第１シール部によって防止できるとともに、止水部材と開口部材本体との間から水が侵入することを第２シール部によって防止することができる。このため、この止水部材では、建物の止水を行うに当たって、開口部材本体と外壁材との間にコーキング材等を別途充填することを不要とすることができたり、また、コーキング材等を別途充填する場合であっても、その箇所を少なくしたりすることができる。そして、コーキング材等を別途充填する箇所が少なくなることにより、コーキング材等を充填する箇所毎に止水能力のバラつきが生じることも抑制できる。これにより、この止水部材では、建物の止水も容易に行うことが可能となる。
【００１３】
したがって、本発明の止水部材によれば、外壁材の位置決めを精度高く行うとともに、開口部材と外壁材とが取り付けられた建物の防水性を確保し、かつ、施工の容易化及び低コスト化を実現できる。
【００１４】
離間部は、外壁材の外面よりも室内側に位置していることが好ましい。この場合には、離間部が外壁材よりも室外側に突出することがないため、建物を室外側から見た際に、開口部材本体と外壁材の端面との間で離間部が目立ち難くなる。これにより、建物の美観を高くすることができる。
【００１５】
また、離間部は平坦に形成されていることが好ましい。この場合には、離間部に突起等が形成されないため、止水部材を容易に形成することができる。また、離間部に対して、開口部材本体と外壁材の端面との間を覆う化粧部材を取り付ける場合であっても、その取り付けが容易となる。さらに、離間部が平坦であるため、離間部に対して上記のような化粧部材を必ずしも取り付けなくても、建物の美観を高くすることができる。
【００１６】
本発明の外壁構造は、開口部材と外壁材とが取り付けられた建物に設けられた止水部材を用いて、前記開口部材と前記外壁材との間で前記建物の止水を行う外壁構造であって、
前記建物は、室外側と室内側とを連通する開口部を形成する枠部材と、前記枠部材に取り付けられ、前記枠部材と前記外壁材の前記室内側との間に位置する壁下地材とを有し、
前記開口部材は、前記開口部内に配置される開口部材本体を有し、
前記止水部材は、前記壁下地材に固定され、前記壁下地材と前記外壁材との間に位置する固定部と、
前記固定部と連続して前記室外側に向かって延び、前記外壁材の端面と当接して前記外壁材の位置決めを行う位置決め部と、
前記位置決め部と連続して前記開口部材本体側に向かって延び、前記開口部材本体と前記外壁材との間に位置する離間部と、
前記離間部と連続し、前記開口部材本体と対面する支持部と、
前記固定部又は前記位置決め部に設けられ、前記外壁材に当接して水の侵入を抑制可能な第１シール部と、
前記支持部に設けられ、前記開口部材本体に当接して前記水の侵入を抑制可能な第２シール部とを備えていることを特徴とする。
【００１７】
本発明の外壁構造は、上記の特徴を有する止水部材が用いられる。この外壁構造によれば、容易かつ精度高く外壁材の位置決めを行うことができる。また、この外壁構造によれば、建物の止水を行うに当たって、開口部材本体と外壁材との間にコーキング材等を別途充填することを不要とすることができたり、また、コーキング材等を別途充填する場合であっても、その箇所を少なくしたりすることができる。これにより、この外壁構造では、建物の止水も容易に行うことが可能となる。
【００１８】
したがって、本発明の外壁構造によれば、外壁材の位置決めを精度高く行うとともに、開口部材と外壁材とが取り付けられた建物の防水性を確保し、かつ、施工の容易化及び低コスト化を実現できる。
【発明の効果】
【００１９】
本発明の止水部材によれば、外壁材の位置決めを精度高く行うとともに、開口部材と外壁材とが取り付けられた建物の防水性を確保し、かつ、施工の容易化及び低コスト化を実現できる。また、本発明の外壁構造によれば、外壁材の位置決めを精度高く行うとともに、開口部材と外壁材とが取り付けられた建物の防水性を確保し、かつ、施工の容易化及び低コスト化を実現できる。
【図面の簡単な説明】
【００２０】
【図１】図１は、実施例の外壁構造が採用された建物の一部を示す部分正面図である。
【図２】図２は、実施例の外壁構造に係り、開口部材の周囲を示す部分正面図である。
【図３】図３は、実施例の外壁構造に係り、建物に開口部材が取り付けられた状態を示す要部拡大断面図である。
【図４】図４は、実施例の外壁構造に係り、止水部材を示す斜視図である。
【図５】図５は、実施例の外壁構造に係り、止水部材を示す側面図である。
【図６】図６は、実施例の外壁構造に係り、建物に開口部材と止水部材とが取り付けられた状態を示す要部拡大断面図である。
【図７】図７は、実施例の外壁構造に係り、図２におけるＡ−Ａ断面を示す要部拡大断面図である。
【図８】図８は、実施例の外壁構造に係り、図１におけるＢ−Ｂ断面を示す要部拡大断面図である。
【発明を実施するための形態】
【００２１】
以下、本発明を具体化した実施例を図面を参照しつつ説明する。
【００２２】
実施例の外壁構造は、図１に示す住宅としての建物１に採用されている。この建物１には、窓サッシ３と複数の外壁材５とが取り付けられている。この窓サッシ３が本発明における開口部材に相当する。なお、図１では、紙面の上方向を窓サッシ３の上方向と規定して、建物１の上下方向を規定しているとともに、紙面の右方向を窓サッシ３の右方向と規定して、建物１の左右方向を規定している。そして、図２以降では、図１に対応して上下方向、左右方向を規定しているとともに、建物１の室外側と室内側とを規定している。
【００２３】
図２に示すように、この外壁構造は、第１〜４止水部材７〜１０を備えている。この外壁構造では、これらの第１〜４止水部材７〜１０を用いて、窓サッシ３の周囲で各外壁材５の位置決めを行うとともに、窓サッシ３と各外壁材５との間で建物１の止水を行う。なお、説明を容易にするため、図２では外壁材５を仮想線によって図示しているとともに、後述する化粧部材４３の図示を省略している。
【００２４】
建物１は木造であり、図３に示す枠部材１３の他、図２に示す複数の縦胴縁材１５ａ及び複数の横胴縁材１５ｂ等を有している。これらの各縦胴縁材１５ａ及び各横胴縁材１５ｂが本発明における壁下地材に相当する。なお、枠部材１３は、具体的には、建物１における通柱、管柱、スタッド、窓台及びまぐさ等である。また、壁下地材として、縦胴縁材１５ａ及び横胴縁材１５ｂに代えて、合板等を採用することもできる。さらに、これらの枠部材１３等は木材に限られず、他の材質によって形成しても良い。
【００２５】
建物１は、これらの枠部材１３、縦胴縁材１５ａ及び横胴縁材１５ｂ等が公知の工法によって組み付けられることによって構成されている。なお、枠部材１３は複数であり、図３及び後述の図６〜８ではそのうちの一つの枠部材１３のみを図示している。また、図２に示すように、各縦胴縁材１５ａ及び各横胴縁材１５ｂと、各枠部材１３との間には、防水シート１７が設けられている。
【００２６】
この建物１では、複数の枠部材１３が枠組みされることにより、図２に示すように、矩形状の開口部１９が形成されている。この開口部１９は、建物１の窓に相当しており、図３に示すように、建物１の室外側と室内側とを連通している。また、図２に示すように、各縦胴縁材１５ａは、開口部１９の右側方及び左側方で枠部材１３に固定されている。一方、各横胴縁材１５ｂは、開口部１９の上方及び下方で枠部材１３に固定されている。これにより、各縦胴縁材１５ａ及び各横胴縁材１５ｂによって、開口部１９が囲包されている。また、これらの各縦胴縁材１５ａ及び各横胴縁材１５ｂは、建物１に外壁材５が取り付けられることにより、枠部材１３と外壁材５の室内側との間にそれぞれ位置する。
【００２７】
図１に示す窓サッシ３は公用品であり、サッシ本体３ａと、図３に示すフランジ３ｂとを有している。このサッシ本体３ａが本発明における開口部材本体に相当する。図１に示すように、サッシ本体３ａは、アルミニウム合金製の複数の枠体１３０と、枠体１３０に取り付けられた複数の窓ガラス１３１とを有している。これにより、サッシ本体３ａは矩形の枠状をなしている。
【００２８】
図３に示すように、フランジ３ｂは、サッシ本体３ａに一体に設けられている。フランジ３ｂは、サッシ本体３ａの外面１３２から外側に向かって幅方向に略直角に延びている。また、フランジ３ｂには複数の取付孔１３３が形成されている。各取付孔１３３は、フランジ３ｂにおいて先端部１３４よりも幅方向の内側、すなわち、先端部１３４よりもサッシ本体３ａに近い位置に形成されている。
【００２９】
この外壁構造は、以下の各工程を行うことによって施工される。
【００３０】
まず初めに、建物１に窓サッシ３を取り付ける開口部材取付工程を行う。具体的には、サッシ本体３ａを開口部１９内に配置しつつ、フランジ３ｂを枠部材１３の室外側に当接させる。この状態で、各取付孔１３３に釘２１をそれぞれ挿通し、各釘２１を室外側から枠部材１３に打ち込むことによって、フランジ３ｂを枠部材１３の室外側に固定する。ここで、上記のように、各取付孔１３３は、フランジ３ｂの先端部１３４よりもサッシ本体３ａに近い位置に形成されている。このため、フランジ３ｂは、先端部１３４よりもサッシ本体３ａに近い位置において、枠部材１３の室外側に固定されることとなる。枠部材１３にフランジ３ｂを固定した後、枠部材１３には防水テープ２３が貼付される。また、防水テープ２３の室外側には上記の防水シート１７が施工されている。これらにより、枠部材１３とフランジ３ｂとの間の止水処理が施される。なお、釘２１に限らず、例えば螺子等によってフランジ３ｂを枠部材１３に固定しても良い。
【００３１】
また、図示を省略するものの、サッシ本体３ａには複数の取付孔が形成されており、これらの取付孔に挿通された取付螺子によってもサッシ本体３ａが枠部材１３に固定される。なお、建物１に窓サッシ３を取り付けるに際しては、枠部材１３とサッシ本体３ａとの間にスペーサ材２５が適宜設けられる。こうして、建物１に窓サッシ３が設けられ、開口部材取付工程が完了する。
【００３２】
次に、サッシ本体３ａの周囲において、図２示す第１〜４止水部材７〜１０をそれぞれ建物１に取り付ける止水部材取付工程を行う。これらの第１〜４止水部材７〜１０は、サッシ本体３ａ、ひいては、開口部１９の大きさに応じて、長手方向の長さが規定されていることを除いて、ほぼ同様の構成である。以下、第１止水部材７を基に構成について詳細に説明する。
【００３３】
図４に示すように、第１止水部材７は、止水板本体２９と、第１シール部３１と、第２シール部３３とを備えている。
【００３４】
止水板本体２９は、幅方向で一端側から他端側に延びるとともに、長手方向に延びる金属板によって形成されており、図５に示すように、室外面２９０ａと室内面２９０ｂとを有している。室外面２９０ａは、第１〜４止水部材７〜１０をそれぞれ建物１に取り付けた際に室外側に面する。室内面２９０ｂは、室外面２９０ａの裏面であり、第１〜４止水部材７〜１０をそれぞれ建物１に取り付けた際に室内側に面する。また、第１、２止水部材７、８における止水板本体２９の長手方向の長さは、図２に示すように、サッシ本体３ａの左右方向の長さに対応して規定されている。一方、第３、４止水部材９、１０における止水板本体２９の長手方向の長さは、サッシ本体３ａの上下方向の長さに対応して規定されている。なお、金属板以外で止水板本体２９を形成しても良い。
【００３５】
図４に示すように、止水板本体２９には、プレス加工によって、固定部２９ａと、位置決め部２９ｂと、離間部２９ｃと、支持部２９ｄとが一体で形成されている。固定部２９ａは、止水板本体２９の一端側の端部から他端側に向かって幅方向に延びている。固定部２９ａには、複数の取付孔２９０ｃが形成されている。ここで、各取付孔２９０ｃは、図６に示すように、サッシ本体３ａの周囲に第１〜４止水部材７〜１０をそれぞれ配置した際に、フランジ３ｂよりもサッシ本体３ａの外面１３２からの距離が遠くなるように固定部２９ａに形成されている。なお、固定部２９ａの幅方向の長さや各取付孔２９０ｃの個数は、適宜設計することが可能である。
【００３６】
図４及び図５に示すように、位置決め部２９ｂは、固定部２９ａの他端側の端部から室外側に向かって略直角に屈曲されることにより、固定部２９ａと連続しつつ、室外側に向かって延びている。ここで、位置決め部２９ｂが室外側に延びる長さは、後述する外壁材５の厚さ方向の長さよりも短くなるように設計されている。
【００３７】
離間部２９ｃは、位置決め部２９ｂの室外側の端部から止水板本体２９の他端側に向かって略直角に屈曲されることにより、位置決め部２９ｂと連続しつつ、止水板本体２９の他端側に向かって幅方向に延びている。つまり、離間部２９ｃは、図６に示すように、第１〜４止水部材７〜１０をそれぞれ建物１に取り付けた際に、位置決め部２９ｂの室外側の端部からサッシ本体３ａ側に向かって幅方向に延びるように形成されている。離間部２９ｃの幅方向の長さは、第１〜４止水部材７〜１０をそれぞれ建物１に取り付けた際、サッシ本体３ａの外面１３２から位置決め部２９ｂまでが間隔Ｗ１となるように設計されている。この間隔Ｗ１は、後述するサッシ本体３ａの外面１３２から外壁材５の端面までの間隔に相当しており、この外壁構造では約３０ｍｍ程度に設定されている。
【００３８】
また、図４及び図５に示すように、離間部２９ｃにおいて、室外面２９０ａ及び室内面２９０ｂには、室外側や室内側に向かって突出する突起等が形成されていない。つまり、離間部２９ｃは、幅方向に平坦に延びるように形成されている。
【００３９】
支持部２９ｄは、離間部２９ｃの他端側の端部から室内側に向かって略直角に屈曲されることにより、離間部２９ｃと連続しつつ、室内側に向かって延びている。なお、支持部２９ｄについて、離間部２９ｃの他端側の端部から室外側に向かって屈曲することによって形成しても良い。
【００４０】
第１シール部３１及び第２シール部３３は、矩形状をなすエチレンプロピレンゴム（ＥＰＤＭ）によって形成されている。なお、第１シール部３１及び第２シール部３３はＥＰＤＭに限らず、合成ゴム等の他、水の侵入を抑制可能な種々の材料によって形成することができる。また、第１シール部３１と第２シール部３３とがそれぞれ異なる材料によって形成されていても良い。
【００４１】
第１、２シール部３１、３３における長手方向の長さは、止水板本体２９の長手方向の長さに対応して規定されている。第１シール部３１は、固定部２９ａにおける室外面２９０ａに貼着されている。これにより、第１シール部３１は固定部２９ａの他端側に設けられ、固定部２９ａと位置決め部２９ｂとの間に位置している。第２シール部３３は、支持部２９ｄに貼着されることにより、支持部２９ｄに設けられている。第２シール部３３は第１シール部３１よりも薄く形成されている。なお、第２シール部３３について、第１シール部３１と同じ厚さに形成したり、第１シール部３１よりも厚く形成したりしても良い。
【００４２】
第１止水部材７を建物１に取り付けるに当たっては、図６に示すように、まず、第１止水部材７をサッシ本体３ａの上方に配置する。そして、支持部２９ｄをサッシ本体３ａの外面１３２に対面させつつ、外面１３２に第２シール部３３を当接させる。この際、外面１３２と第２シール部３３とを図示しない両面粘着テープで互いに貼着する。こうして、サッシ本体３ａの上方において第１止水部材７の位置決めを行う。その後、外面１３２に第２シール部３３を押し当てつつ、各取付孔２９０ｃに挿通された第１取付螺子３５によって固定部２９ａを室外側から横胴縁材１５ｂに固定する。このように、固定部２９ａが横胴縁材１５ｂに固定されることにより、第２シール部３３は、支持部２９ｄと外面１３２との間で圧縮変形した状態で外面１３２に当接する。こうして、第１止水部材７がサッシ本体３ａの上方で建物１に取り付けられる。なお、第１取付螺子３５に代えて釘によって固定部２９ａを横胴縁材１５ｂに固定しても良い。また、固定部２９ａを横胴縁材１５ｂと枠部材１３とに固定しても良い。
【００４３】
ここで、上記のように、各取付孔２９０ｃは、フランジ３ｂよりもサッシ本体３ａの外面１３２からの距離が遠くなるように固定部２９ａに形成されている。このため、固定部２９ａは、フランジ３ｂよりも外面１３２から遠隔した位置において、第１取付螺子３５により横胴縁材１５ｂに固定されることとなる。これにより、この外壁構造では、固定部２９ａが横胴縁材１５ｂに固定された際、第１取付螺子３５の先端は、フランジ３ｂに当接しないだけでなく、防水テープ２３にも当接しない。
【００４４】
同様の手順により、図２に示すように、第２止水部材８がサッシ本体３ａの下方で横胴縁材１５ｂに固定されることにより建物１に取り付けられる。また、第３止水部材９がサッシ本体３ａの右側方で縦胴縁材１５ａに固定されることにより建物１に取り付けられる。そして、第４止水部材１０がサッシ本体３ａの左側方で縦胴縁材１５ａに固定されることにより建物１に取り付けられる。こうして、止水部材取付工程が完了する。
【００４５】
止水部材取付工程が完了した後、コーキング材３７を充填するコーキング材充填工程を行なう。具体的には、第１止水部材７と第３止水部材９との隙間と、第３止水部材９と第２止水部材８との隙間と、第２止水部材８と第４止水部材１０との隙間と、第４止水部材１０と第１止水部材７との隙間とにそれぞれコーキング材３７を充填する。また、第１、３止水部材７、９とサッシ本体３ａの右上角部との隙間と、第２、３止水部材８、９とサッシ本体３ａの右下角部との隙間と、第２、４止水部材８、１０とサッシ本体３ａの左下角部との隙間と、第１、４止水部材７、１０とサッシ本体３ａの左上角部との隙間とにもそれぞれコーキング材３７を充填する。さらに、第３、４止水部材９、１０の各上端及び各下端にもコーキング材３７を充填する。これらにより、第１止水部材７と第３止水部材９との隙間等がそれぞれコーキング材３７によって閉塞され、第１止水部材７と第３止水部材９との隙間等を伝って室内側に雨水等が浸入することが防止される。
【００４６】
ここで、例えば、第１止水部材７と第３止水部材９との隙間は、コーキング材３７だけでなく第３止水部材９の第２シール部３３によっても塞がれる。他の第３止水部材９と第２止水部材１０との隙間等についても、同様に第２シール部３３によって塞がれる。これにより、この外壁構造では、第２シール部３３によっても第１止水部材７と第３止水部材９との隙間等を伝って室内側に雨水等が浸入することを防止できる。このため、コーキング材３７の充填によって、第１止水部材７と第３止水部材９との隙間等から室内側に雨水等が浸入することをより万全に防止できるものの、この外壁構造においてコーキング材充填工程は必須ではなく、コーキング材充填工程を省略することができる。また、コーキング材充填工程の際にコーキング材３７を充填する箇所を一部省略することもできる。
【００４７】
次に、建物１に対して複数の外壁材５を取り付ける外壁材取付工程を行う。各外壁材５は窯業によって形成されている。このような外壁材５としては、例えば、ニチハ株式会社製の「モエンエクセラード（登録商標）」等を採用することができる。図７に示すように、各外壁材５は、室外側に面する外面５ａと、室内側に面する裏面５ｂとを有している。なお、外壁材５として、窯業以外によって形成された外壁材を採用しても良い。
【００４８】
サッシ本体３ａの上方で外壁材５を建物１に取り付けるに当たっては、図７に示すように、外壁材５の下端面を第１止水部材７の位置決め部２９ｂに当接させる。ここで、上記のように位置決め部２９ｂは、外壁材５の厚さ方向の長さよりも短く形成されているため、位置決め部２９ｂは外壁材５の下端面の約半分と当接する。こうして、外壁材５の下端面を位置決め部２９ｂに当接させることにより、この外壁構造では、サッシ本体３ａの上方において、離間部２９ｃがサッシ本体３ａの外面１３２と外壁材５の下端面との間に位置する。これにより、離間部２９ｃによって、外面１３２から上方に上記の間隔Ｗ１を隔てた状態で外壁材５が位置決めされる。また、位置決め部２９ｂが外壁材５の厚さ方向の長さよりも短く形成されているため、離間部２９ｃは、外面１３２と外壁材５の下端面との間において、外壁材５の外面５ａよりも室内側に位置することとなる。
【００４９】
そして、上記のように位置決めした外壁材５ついては、外壁材５の裏面５ｂと横胴縁材１５ｂとの間に樹脂製のスペーサ材３９を介在させつつ、外壁材５の外面５ａ側から複数の釘４１を打ち込むことによって、スペーサ材３９と共に横胴縁材１５ｂに固定する。この際、各釘４１は、第１止水部材７よりも外面１３２から遠隔した位置において、外壁材５に打ち込まれる。これにより、この外壁構造では、外壁材５が横胴縁材１５ｂに固定された際、各釘４１の先端によって、第１止水部材７が傷付けられることがない。なお、スペーサ材３９は樹脂製に限らず金属や木材等によって形成しても良い。また、スペーサ材３９の厚さは適宜変更することができる。
【００５０】
また、外壁材５の下端面が位置決め部２９ｂに当接することにより、第１シール部３１は、外壁材５と第１止水部材７の固定部２９ａとの間で圧縮変形しつつ、外壁材５の裏面５ｂと当接する。こうして、サッシ本体３ａの上方で外壁材５が建物１に取り付けられる。このように外壁材５が建物１に取り付けられることにより、固定部２９ａは外壁材５と横胴縁材１５ｂとの間に位置する。このため、固定部２９ａは外壁材５によって室外側から隠蔽される。また、外壁材５の裏面５ｂと横胴縁材１５ｂとの間にスペーサ材３９を設けることにより、外壁材５と横胴縁材１５ｂとは、スペーサ材３９の厚さの分だけ離間した状態で固定される。具体的には、この外壁構造では、スペーサ材３９の厚さを約５ｍｍ程度に設定している。なお、外壁材５を建物１に固定するために必要な釘４１の数は適宜変更可能である。また、釘４１に代えて、複数の螺子によって外壁材５をスペーサ材３９と共に横胴縁材１５ｂに固定しても良い。
【００５１】
同様に、サッシ本体３ａの下方に配置される外壁材５については、その外壁材５の上端面を第２止水部材８の位置決め部２９ｂに当接させる。これにより、サッシ本体３ａの下方において、サッシ本体３ａの外面１３２から上記の間隔Ｗ１を隔てた状態で外壁材５が位置決めされる。この状態で、複数の釘４１によって外壁材５を横胴縁材１５ｂに固定することにより、サッシ本体３ａの下方で外壁材５が建物１に取り付けられる。
【００５２】
また、サッシ本体３ａの右側方に配置される外壁材５については、その外壁材５の左端面を第３止水部材９の位置決め部２９ｂに当接させる。これにより、サッシ本体３ａの右側方において、サッシ本体３ａの外面１３２から上記の間隔Ｗ１を隔てた状態で外壁材５が位置決めされる。サッシ本体３ａの左側方に配置される外壁材５については、その外壁材５の右端面を第４止水部材１０の位置決め部２９ｂに当接させる。これにより、サッシ本体３ａの左側方において、サッシ本体３ａの外面１３２から上記の間隔Ｗ１を隔てた状態で外壁材５が位置決めされる。なお、サッシ本体３ａの右側方及び左側方にそれぞれ配置される外壁材５は、図示しない公知の接合金具によって、建物１に取り付けられる。これらにより、建物１において、サッシ本体３ａから間隔Ｗ１を隔てた状態で、サッシ本体３ａ周囲に各外壁材５が取り付けられ、外壁材取付工程が完了する。
【００５３】
外壁材取付工程が完了した後、図１に示すように、窓サッシ３の周囲に化粧部材４３を取り付ける化粧部材取付工程が行われる。図８に示すように、化粧部材４３は、ベース材４３１と、トップ材４３２とを有している。これらのベース材４３１及びトップ材４３２は、それぞれサッシ本体３ａの上下及び左右に配置される。このため、サッシ本体３ａの上下に配置されるベース材４３１及びトップ材４３２の各長手方向の長さは、サッシ本体３ａの左右方向の長さに対応して規定されている。一方、サッシ本体３ａの左右に配置されるベース材４３１及びトップ材４３２の各長手方向の長さは、サッシ本体３ａの上下方向の長さに対応して規定されている。以下、サッシ本体３ａの上方に設けられるベース材４３１及びトップ材４３２を基に各構成及び取付手順を説明する。
【００５４】
ベース材４３１には、固定部４３１ａが形成されている他、第１係合部４３１ｂ及び第２係合部４３１ｃが形成されている。トップ材４３２には、化粧面４３２ａが形成されている。また、トップ材４３２において、化粧面４３２ａの裏面側には、第１被係合部４３２ｂと第２被係合部４３２ｃとが形成されている。
【００５５】
ベース材４３１の固定部４３１ａは、第２取付螺子４５によって第１止水部材７の離間部２９ｃに取り付けられる。これにより、ベース材４３１は、サッシ本体３ａの外面１３２と外壁材５の下端面との間において、離間部２９ｃの室外面２９０ａ側となる位置に配置される。なお、第２取付螺子４５は、固定部４３１ａを離間部２９ｃに取り付けた際に、先端が防水テープ２３やフランジ３ｂに接触しないように長さが調整されている。
【００５６】
トップ材４３２は、ベース材４３１の第１、２係合部４３１ｂ、４３１ｃにそれぞれ第１、２被係合部４３２ｂ、４３２ｃを係合することによって、ベース材４３１に組み付けられる。こうして、トップ材４３２は、ベース材４３１の室外側に配置される。これにより、トップ材４３２の化粧面４３２ａによって、第１止水部材７の位置決め部２９ｂ、離間部２９ｃ及び支持部２９ｄの他、外壁材５の一部が覆われる。
【００５７】
サッシ本体３ａの下方、右側方及び左側方においても同様に、ベース材４３１及びトップ材４３２が外壁材５とサッシ本体３ａとの間に設けられ、化粧部材取付工程が完了する。こうして、外壁構造の施工が完了する。なお、この外壁構造において、化粧部材取付工程は必須ではなく、省略することもできる。
【００５８】
以上のように施工された外壁構造は、第１〜４止水部材７〜１０を備えている。これらの第１〜４止水部材７〜１０では、それぞれ第２シール部３３をサッシ本体３ａの外面１３２に当接させる。これにより、この外壁構造では、第１〜４止水部材７〜１０を縦胴縁材１５ａや横胴縁材１５ｂに固定する際の位置決めを容易に行うことが可能となっている。そして、このように第２シール部３３を外面１３２に当接させた状態において、第１取付螺子３５によって固定部２９ａを縦胴縁材１５ａや横胴縁材１５ｂに固定する。この際、この外壁構造では、両面粘着テープによって第２シール部３３を外面１３２に貼着する。これにより、第１取付螺子３５によって第１〜４止水部材７〜１０を縦胴縁材１５ａや横胴縁材１５ｂに固定するに当たって、第１〜４止水部材７〜１０が縦胴縁材１５ａや横胴縁材１５ｂからずれることを好適に防止することができる。このため、この外壁構造では、第１〜４止水部材７〜１０を縦胴縁材１５ａや横胴縁材１５ｂに容易に固定することが可能となっている。
【００５９】
そして、この外壁構造では、第１〜４止水部材７〜１０を縦胴縁材１５ａや横胴縁材１５ｂに固定した状態で、各外壁材５の端面を第１〜４止水部材７〜１０の各位置決め部２９ｂにそれぞれ当接させる。これにより、この外壁構造では、第１〜４止水部材７〜１０の各離間部２９ｃによってとサッシ本体３ａの外面１３２と各外壁材５とを間隔Ｗ１で一律に隔てつつ、各位置決め部２９ｂによって、建物１に対する各外壁材５の位置決めを行うことができる。このため、この外壁構造によれば、熟練した技術を有しなくても、容易かつ精度高く各外壁材５の位置決めを行ないつつ、建物１に各外壁材５を取り付けることができる。
【００６０】
そして、この外壁構造では、第１〜４止水部材７〜１０の各固定部２９ａに第１シール部３１がそれぞれ設けられているとともに、各支持部２９ｄに第２シール部３３がそれぞれ設けられている。これにより、この外壁構造では、上記のように第１〜４止水部材７〜１０を縦胴縁材１５ａや横胴縁材１５ｂに固定し、各外壁材５の端面を位置決め部２９ｂに当接させるだけで、第１〜４止水部材７〜１０と各壁材５との間から水が室内側に侵入することを第１シール部３１によって防止できる。また、第１〜４止水部材７〜１０とサッシ本体３の外面１３２との間から水が室内側に侵入することを第２シール部３３によって防止することができる。このため、この外壁構造では、建物１の止水を行うに当たって、別途にコーキング材３７を充填するものの、その際にコーキング材３７を充填する箇所を少なくすることが可能となっている。これにより、この外壁構造では、建物１の止水も容易に行うことが可能となっている。なお、上記のように、この外壁構造では、コーキング材充填工程を省略することもできる。この場合には、建物１の止水を行うに当たってコーキング材３７を充填する必要がなく、建物１の止水をより容易に行うことが可能となる。
【００６１】
したがって、実施例の外壁構造によれば、各外壁材５の位置決めを精度高く行うとともに、窓サッシ３と各外壁材５とが取り付けられた建物１の防水性を確保し、かつ、施工の容易化及び低コスト化を実現できる。
【００６２】
特に、この外壁構造では、第１〜４止水部材７〜１０の各離間部２９ｃの幅方向の長さによって、サッシ本体３ａの外面１３２から位置決め部２９ｂまでの間隔、つまり、サッシ本体３ａの外面１３２と各外壁材５の端面との間隔を決定することができる。このため、例えば、化粧部材４３の形状や建物１のデザイン等に応じて、離間部２９ｃの幅方向の長さを変更することにより、サッシ本体３ａの外面１３２と各外壁材５との間隔について、上記の間隔Ｗ１以外の大きさに容易に設定することが可能となる。
【００６３】
また、この外壁構造では、第１〜４止水部材７〜１０、各外壁材５及び化粧部材４３のベース材４３１を取り付ける際に、第１、２取付螺子３５、４５及び釘４１の各先端によって、防水テープ２３やフランジ３ｂが傷付けられることがない。このため、この外壁構造では、第１取付螺子３５等によって傷ついた防水テープ２３やフランジ３ｂの隙間から室内側に水が侵入することを防止するに当たって、別途にコーキング材３７を充填する等の作業が不要となっている。この点においても、この外壁構造では建物１の止水を容易に行うことが可能となっている。
【００６４】
さらに、この外壁構造では、窓サッシ３の周囲に化粧部材４３が設けられるため、トップ材４３２の化粧面４３２ａによって、第１〜４止水部材７〜１０の各離間部２９ｃ等を建物１の室外側から隠蔽することができる。
【００６５】
また、この外壁構造では、建物１に各外壁材５を取り付けた際、各離間部２９ｃが外壁材５の外面５ａよりも室内側に位置する。このため、この外壁構造では、サッシ本体３ａの外面１３２と各外壁材５の端面との間で各離間部２９ｃが各外壁材５よりも室外側に突出することがない。これにより、この外壁構造では、化粧部材４３を取り付けた際、化粧部材４３が不自然に室外側に突出することがなく、建物１の美観を高くすることができる。また、離間部２９ｃが各外壁材５よりも室外側に突出しないため、化粧部材取付工程を省略し、化粧部材４３を設けない場合であっても、建物１を室外側から見た際に、サッシ本体３ａの外面１３２と各外壁材５の端面との間で各離間部２９ｃが目立ち難くなっている。これにより、この外壁構造では、化粧部材４３を設けない場合であっても建物１の美観を高くすることができる。
【００６６】
さらに、離間部２９ｃが平坦に形成されているため、金属板をプレス加工することにより、止水板本体２９に対して、離間部２９ｃの他、固定部２９ａ、位置決め部２９ｂ及び支持部２９ｄを容易に形成することが可能となっている。このため、第１〜４止水部材７〜１０の製造コスト、ひいては、外壁構造の施工に要するコストを削減することができる。
【００６７】
また、離間部２９ｃが平坦であるため、ベース材４３１の取り付けも容易になっている他、上記のように、化粧部材取付工程を省略した場合であっても、建物１の美観を高くすることが可能となっている。
【００６８】
さらに、この外壁構造では、各外壁材５が建物１に取り付けられることにより、各第１シール部３１は、各外壁材５の裏面５ｂと第１〜４止水部材７〜１０の各固定部２９ａとの間に位置する。また、支持部２９ｄが離間部２９ｃの他端側の端部から室内側に向かって屈曲されて形成されていることにより、この外壁構造では、サッシ本体３ａの周囲に第１〜４止水部材７〜１０を取り付けた際、各支持部２９ｄ及び各第２シール部３３が室外側に露出することがない。このため、外壁構造では、建物１の美観を高くすることができるとともに、紫外線によって各第１、２シール部３１、３３が劣化することも好適に防止することが可能となっている。
【００６９】
以上において、本発明を実施例に即して説明したが、本発明は上記実施例に制限されるものではなく、その趣旨を逸脱しない範囲で適宜変更して適用できることはいうまでもない。
【００７０】
例えば、窓サッシ３が建物１に設けられる位置によっては、サッシ本体３ａの上方等の一箇所にのみ第１止水部材７等が取り付けられても良い。また、実施例の外壁構造を建物１のドア周り等に採用しても良い。この場合、ドア等が本発明における開口部材に相当する。さらに、実施例の外壁構造を木造の建物１以外に採用しても良い。
【００７１】
また、実施例の外壁構造では、サッシ本体３ａの左右方向の長さに対応して、第１止水部材７における止水板本体２９の長手方向の長さを規定している。しかし、これに限らず、サッシ本体３ａの左右方向の長さよりも止水板本体２９の長手方向の長さを短く形成し、サッシ本体３ａの上方に複数の第１止水部材７を配置しても良い。第２〜４止水部材８〜１０についても同様である。
【００７２】
さらに、位置決め部２９ｂが室外側に延びる長さについて、外壁材５の厚さ方向の長さと同等、又は外壁材５の厚さ方向の長さよりも長くなるように止水板本体２９を設計しても良い。この場合、位置決め部２９ｂが室外側に延びる長さに応じて、離間部２９ｃにおける室外面２９０ａと各外壁材５の外面５ａとを略面一としたり、離間部２９ｃが各外壁材５の外面５ａよりも室外側に一定程度突出させたりしても良い。
【産業上の利用可能性】
【００７３】
本発明は住宅用建物の他、各種の建物に利用可能である。
【符号の説明】
【００７４】
１…建物
３…窓サッシ（開口部材）
３ａ…サッシ本体（開口部材本体）
５…外壁材
５ａ…外面
７〜１０…第１〜４止水部材（止水部材）
１３…枠部材
１５ａ…縦胴縁材（壁下地材）
１５ｂ…横胴縁材（壁下地材）
１９…開口部
２９ａ…固定部
２９ｂ…位置決め部
２９ｃ…離間部
２９ｄ…支持部
３１…第１シール部
３３…第２シール部
【図１】
0006006357.tif 000002
【図２】
0006006357.tif 000003
【図３】
0006006357.tif 000004
【図４】
0006006357.tif 000005
【図５】
0006006357.tif 000006
【図６】
0006006357.tif 000007
【図７】
0006006357.tif 000008
【図８】
0006006357.tif 000009